(57)【要約】【課題】片手で操作でき、かつ遠投も可能な電動リール内蔵型グリップ装置および釣具を提供することを目的とする。【解決手段】握り部１１ａと、握り部１１ａの前部に設けられた釣竿２の着脱自在な装着部１４、１５と、握り部１１ａの下方に設けられたリール２２と、動力伝達部２３〜２９を介してリール２２を回転駆動させる動力部２０と、動力部２０に給電する給電部１２と、握り部１１ａを保持する手の指Ｆ２にて操作される動力部２０の操作部１６と、握り部１１ａを保持する手の指Ｆ１が届く位置に設けられてリール２２から導出した釣糸３が周回する周回部３１とを備える。動力部２０と動力伝達部２３〜２９はケース１１の内部に収納されている。ケース１１の上部が握り部１１ａとなっており、ケース１１の下部１１ｂの前部にリール２２を設けて電動リール内蔵型釣竿用グリップ装置１０とした。【選択図】図３
2010136718.tif 000002
【特許請求の範囲】
【請求項１】
握り部と、この握り部の前部に設けられて釣竿が着脱自在に装着される装着部と、この握り部の下方に設けられて釣糸が巻回されるリールと、動力伝達部を介してリールを駆動する動力部と、動力部に給電する給電部と、前記握り部を保持する手の指にて操作される前記動力部の操作部と、前記握り部と前記リールの間における前記握り部を保持する手の指が届く位置に設けられて前記リールから導出した釣糸が周回する周回部とを備え、前記動力部と前記動力伝達部はケースに収納されており、かつこのケースの上部に前記握り部が設けられており、このケースの下部の前部に前記リールを設けて成ることを特徴とする電動リール内蔵型釣竿用グリップ装置。
【請求項２】
握り部と、この握り部の前部に設けられて釣竿が着脱自在に装着される装着部と、この握り部の下方に設けられて釣糸が巻回されるリールと、動力伝達部を介してリールを駆動する動力部と、動力部に給電する給電部と、前記握り部を保持する手の指にて操作される前記動力部の操作部と、前記握り部と前記リールの間における前記握り部を保持する手の指が届く位置に設けられて前記リールから導出した釣糸が周回する周回部とを備え、前記動力部と前記動力伝達部はケースに収納されており、かつこのケースの上部に前記握り部が設けられており、このケースの下部の前部に前記リールを設けて成る電動リール内蔵型釣竿用グリップ装置と、前記装着部に着脱自在に装着される釣竿とから成ることを特徴とする釣具。
【請求項３】
前記動力部は、前記動力伝達部を介して前記リールを回転させることにより釣糸を前記リールに巻上げるとともにその軸方向に相対的に往復動させることを特徴とする請求項１記載の電動リール内蔵型釣竿用グリップ装置。
【請求項４】
前記動力部は、前記動力伝達部を介して前記リールを回転させることにより釣糸を前記リールに巻上げるとともにその軸方向に相対的に往復動させることを特徴とする請求項２記載の釣具。
【請求項５】
前記周回部は前記リールの側部に設けられたアームに装着されており、前記動力部は、前記動力伝達部を介して前記リールをその軸方向に相対的に往復動させるとともに、前記アームを前記リールの周囲を回転させることにより釣糸を前記リールに巻上げることを特徴とする請求項１記載の電動リール内蔵型釣竿用グリップ装置。
【請求項６】
前記周回部は前記リールの側部に設けられたアームに装着されており、前記動力部は、前記動力伝達部を介して前記リールをその軸方向に相対的に往復動させるとともに、前記アームを前記リールの周囲を回転させることにより釣糸を前記リールに巻上げることを特徴とする請求項２記載の釣具。
【請求項７】
握り部と、この握り部の前部に設けられて釣竿が着脱自在に装着される装着部と、この握り部の下方に設けられて釣糸が巻回されるリールと、リールの側部に設けられてリールから導出された釣糸が周回する周回部を有するアームと、動力部と、この動力部の動力をリールに伝達してリールをその軸方向に相対的に往復動させるとともに前記アームをリールの周囲を回転させることにより釣糸をリールに巻上げる動力伝達部と、動力部に給電する給電部と、前記握り部を保持する手の指にて操作される前記動力部の操作部とを備え、前記周回部は前記握り部を保持する手の指が届く位置に回転停止可能であり、また前記動力部と前記動力伝達部はケースに収納されており、かつこのケースの上部に前記握り部が設けられており、このケースの下部の前部に前記リールを設けて成ることを特徴とする電動リール内蔵型釣竿用グリップ装置。
【請求項８】
握り部と、この握り部の前部に設けられて釣竿が着脱自在に装着される装着部と、この握り部の下方に設けられて釣糸が巻回されるリールと、リールの側部に設けられてリールから導出された釣糸が周回する周回部を有するアームと、動力部と、この動力部の動力をリールに伝達してリールをその軸方向に相対的に往復動させるとともに前記アームをリールの周囲を回転させることにより釣糸をリールに巻上げる動力伝達部と、動力部に給電する給電部と、前記握り部を保持する手の指にて操作される前記動力部の操作部とを備え、前記周回部は前記握り部を保持する手の指が届く位置に回転停止可能であり、また前記動力部と前記動力伝達部はケースに収納されており、かつこのケースの上部に前記握り部が設けられており、このケースの下部の前部に前記リールを設けて成る電動リール内蔵型釣竿用グリップ装置と、前記装着部に着脱自在に装着される釣竿とから成ることを特徴とする釣具。
【発明の詳細な説明】
【技術分野】
【０００１】
本発明は、片手のみでの操作が可能な電動リール内蔵型釣竿用グリップ装置および釣具に関するものである。
【背景技術】
【０００２】
釣竿に用いられるリールは電動リールと手動リールに大別されるが、いずれのリールを用いる釣具も、一方の手で釣竿を保持し、他方の手でリールを操作して（すなわち、両手を用いて）釣りをするようになっている。電動リールは釣糸の巻上げに労力を要しないので広く愛用されており、様々な電動リールが提案されている（特許文献１、２）。
【先行技術文献】
【特許文献】
【０００３】
【特許文献１】特開平８−２１４７４２号公報
【特許文献２】特開２００２−２４７９４１号公報
【発明の概要】
【発明が解決しようとする課題】
【０００４】
電動リールを装着した釣竿は、一方の手で釣竿を保持し、他方の手で電動リールのＯＮ／ＯＦＦや巻上げ速度制御等の操作をするようになっている。すなわち、従来の電動リール付き釣具は両手で操作するようになっており、片手のみでは操作できない。したがって第１には、従来の電動リールは片手が不自由な身障者はこれを使用することができなかった。また健常者であっても、例えばシケ海の船上で釣りをする場合、釣具は両手で操作しなければならないので、船から転落するおそれがあった。
【０００５】
第２には、従来の電動リールの釣糸の巻回方向は釣竿の長手方向であったため（引用文献１の図３を参照）、釣竿を大きく振ってオモリを遠投すると、リールは釣糸に引っ張られて過剰回転し、バックラッシュを生じてリール付近で釣糸が無用に緩み、リール周辺部材等に釣糸がからみ付きやすい等の問題点があった。
【０００６】
そこで本発明は上記従来の電動リールの問題点を解消し、片手で操作でき、かつ遠投も可能な電動リール内蔵型釣竿用グリップ装置および釣具を提供することを目的とする。
【課題を解決するための手段】
【０００７】
このために請求項１に記載の電動リール内蔵型釣竿用グリップ装置は、握り部と、この握り部の前部に設けられて釣竿が着脱自在に装着される装着部と、この握り部の下方に設けられて釣糸が巻回されるリールと、動力伝達部を介してリールを駆動する動力部と、動力部に給電する給電部と、前記握り部を保持する手の指にて操作される前記動力部の操作部と、前記握り部と前記リールの間における前記握り部を保持する手の指が届く位置に設けられて前記リールから導出した釣糸が周回する周回部とを備え、前記動力部と前記動力伝達部はケースに収納されており、かつこのケースの上部に前記握り部が設けられており、このケースの下部の前部に前記リールを設けて成る。
【０００８】
請求項２に記載の釣具は、握り部と、この握り部の前部に設けられて釣竿が着脱自在に装着される装着部と、この握り部の下方に設けられて釣糸が巻回されるリールと、動力伝達部を介してリールを駆動する動力部と、動力部に給電する給電部と、前記握り部を保持する手の指にて操作される前記動力部の操作部と、前記握り部と前記リールの間における前記握り部を保持する手の指が届く位置に設けられて前記リールから導出した釣糸が周回する周回部とを備え、前記動力部と前記動力伝達部はケースに収納されており、かつこのケースの上部に前記握り部が設けられており、このケースの下部の前部に前記リールを設けて成る電動リール内蔵型釣竿用グリップ装置と、前記装着部に着脱自在に装着される釣竿とから成る。
【０００９】
請求項３に記載の発明は、請求項１記載の発明において、前記動力部は、前記動力伝達部を介して前記リールを回転させることにより釣糸を前記リールに巻上げるとともにその軸方向に相対的に往復動させるものである。
【００１０】
請求項４記載の発明は、請求項２記載の発明において、前記動力部は、前記動力伝達部を介して前記リールを回転させることにより釣糸を前記リールに巻上げるとともにその軸方向に相対的に往復動させるものである。
【００１１】
請求項５記載の発明は、請求項１記載の発明において、前記周回部は前記リールの側部に設けられたアームに装着されており、前記動力部は、前記動力伝達部を介して前記リールをその軸方向に相対的に往復動させるとともに、前記アームを前記リールの周囲を回転させることにより釣糸を前記リールに巻上げるものである。
【００１２】
請求項６記載の発明は、請求項２記載の発明において、前記周回部は前記リールの側部に設けられたアームに装着されており、前記動力部は、前記動力伝達部を介して前記リールをその軸方向に相対的に往復動させるとともに、前記アームを前記リールの周囲を回転させることにより釣糸を前記リールに巻上げるものである。
【００１３】
請求項７記載の電動リール内蔵型釣竿用グリップ装置は、握り部と、この握り部の前部に設けられて釣竿が着脱自在に装着される装着部と、この握り部の下方に設けられて釣糸が巻回されるリールと、リールの側部に設けられてリールから導出された釣糸が周回する周回部を有するアームと、動力部と、この動力部の動力をリールに伝達してリールをその軸方向に相対的に往復動させるとともに前記アームをリールの周囲を回転させることにより釣糸をリールに巻上げる動力伝達部と、動力部に給電する給電部と、前記握り部を保持する手の指にて操作される前記動力部の操作部とを備え、前記周回部は前記握り部を保持する手の指が届く位置に回転停止可能であり、また前記動力部と前記動力伝達部はケースに収納されており、かつこのケースの上部に前記握り部が設けられており、このケースの下部の前部に前記リールを設けて成るものである。
【００１４】
請求項８記載の釣具は、握り部と、この握り部の前部に設けられて釣竿が着脱自在に装着される装着部と、この握り部の下方に設けられて釣糸が巻回されるリールと、リールの側部に設けられてリールから導出された釣糸が周回する周回部を有するアームと、動力部と、この動力部の動力をリールに伝達してリールをその軸方向に相対的に往復動させるとともに前記アームをリールの周囲を回転させることにより釣糸をリールに巻上げる動力伝達部と、動力部に給電する給電部と、前記握り部を保持する手の指にて操作される前記動力部の操作部とを備え、前記周回部は前記握り部を保持する手の指が届く位置に回転停止可能であり、また前記動力部と前記動力伝達部はケースに収納されており、かつこのケースの上部に前記握り部が設けられており、このケースの下部の前部に前記リールを設けて成る電動リール内蔵型釣竿用グリップ装置と、前記装着部に着脱自在に装着される釣竿とから成るものである。
【発明の効果】
【００１５】
上記構成の本発明によれば、ケースに動力部や動力伝達部を収納し、ケースの上部に握り部を設けてこの握り部に動力部の操作部を設け、またケースの下部の前部にリールを設けたことにより、電動リールを備えた小型コンパクトなグリップ装置を実現できる。そしてグリップ装置の握り部を片手で保持し、この片手のみによってオモリの遠投やリールの巻上げ操作等を行うことができるので、片手のみで手軽に釣りができる。
【図面の簡単な説明】
【００１６】
【図１】本発明の実施の形態１における釣具を使用中の側面図
【図２】本発明の実施の形態１における電動リール内蔵型釣竿用グリップ装置の部分切欠側面図
【図３】本発明の実施の形態１における電動リール内蔵型釣竿用グリップ装置の部分切欠側面図
【図４】本発明の実施の形態２における電動リール内蔵型釣竿用グリップ装置の部分切欠側面図
【図５】本発明の実施の形態３における電動リール内蔵型釣竿用グリップ装置の部分切欠側面図
【図６】本発明の実施の形態３における電動リールの斜視図
【図７】本発明の実施の形態３における電動リールの正面図
【発明を実施するための形態】
【００１７】
（実施の形態１）
図１において、釣者Ｐは堤防Ｄ上で釣具１を用いて釣りをしている。釣具１は、釣竿２と、釣竿２が着脱自在に装着される電動リール内蔵型釣竿用グリップ装置（以下、単に「グリップ装置」という）１０から成っている。グリップ装置１０のリール（後述）から繰り出された釣糸３は、釣竿２の先端部から海中Ｓに垂れ下っている。釣糸３には浮き４、おもり５、釣針６が取り付けられている。勿論、この釣具１は船上や湖川等でも使用できる。
【００１８】
次に、図２を参照してグリップ装置１０の詳細な説明を行う。図２において、グリップ装置１０は側面形状が略々コの字形のケース１１を主体としており、ケース１１は上部１１ａ、下部１１ｂ、上部１１ａと下部１１ｂの連結部１１ｃから成っている。このように本実施の形態１では、ケース１１の上部１１ａが握り部になっているが、かかる上部（握り部）１１ａに替えて棒状体を連結部１１ｃの前部に連結するなどして設け、この棒状体を握り部にしてもよい。
【００１９】
握り部（上部）１１ａの前部には筒体１４が前方へ突設されており、筒体１４内には棒体１５が挿着されている。釣竿２の後端部内に棒体１５の先端部を挿着することにより、釣竿２はグリップ装置１０に着脱自在に装着して連結されて釣具となる。すなわち、筒体１４と棒体１５は、釣竿２の着脱自在な装着部になっている。また握り部１１ａの先端部近くには動力部としてのモータ２０の操作部１６が設けられている。本例の操作部１６は、回転軸１６ａを中心に回転させる回転体であり、図２で反時計方向へ回すほど高速度になるものであるが、操作部としては揺動式レバー等でもよい。
【００２０】
連結部１１ｃの内部には動力部としてのモータ２０が収納されており、ケース１１の表面の適所、例えば連結部１１ｃの背面にはモータ２０とバッテリーなどの電源部（図外）を接続する給電コード２１を着脱自在に装着する給電部であるコネクタ１２が設けられている。
【００２１】
図２において、下部１１ｂの前部には、モータ２０に駆動されるリール２２が設けられている。リール２２には釣糸３が巻回されるが、釣糸３の巻回方向Ｎ１は釣竿２の長手方向（釣糸３の導出方向Ｎ５）Ｎ２と直交する方向になっている。モータ２０の回転は、ケース１１の内部に設けられたギヤ２３、２４、２５、２６、駆動軸２７、２８、２９等の動力伝達部を介してリール２２に伝達され、リール２２はその軸心を中心に回転するとともに、実線位置ａと鎖線位置ｂの間をローラ３１（後述）に対して相対的にその軸方向に往復動する（矢印Ｎ３参照）。なお、リール２２の後方に設けられたモータ２０や動力伝達部２３〜２９等は公知のものであり、これらの仕様や配置等は任意に設計できる。
【００２２】
図２において、ケース１１の下部１１ｂの上面から前方へ延出部３０が延出している。延出部３０の先端部には釣糸３の周回部としてのローラ３１が装着されている。すなわち、延出部３０は周回部の取付部となっている。ローラ３１は、握り部１１ａとリール２２の間に設けられている。したがってローラ３１は、握り部１１ａを保持した手の指（人指し指）Ｆ１が届く位置に設けられている（図３も参照）。以上のように、ケース１１の内部にモータ２０や動力伝達部２３〜２９を収納し、ケース１１の上部１１ａを握り部としてこの握り部１１ａにモータ２０の操作部１６を設け、またケース１１の下部１１ｂの前部にリール２２を設けたことにより、電動リールを備えた小型コンパクトなグリップ装置１０を実現できる。
【００２３】
図２は、グリップ装置１０を一方の手（右手）で保持して、図１の矢印Ｎ４で示すように釣竿２を前方へ振り下ろし、おもり５を遠投する場合を示している。この場合、釣者Ｐは手で握り部１１ａをしっかり保持する。このとき、リール２２から導出する釣糸３はローラ３１から離脱し、釣竿２の先端部へ伸びている。そこで図１において、釣者Ｐは釣竿２を破線で示す立てた位置から実線で示す倒した位置方向へ強く振り下ろす（矢印Ｎ４参照）。するとおもり５は遠投されて遠くの海面に着水し、海水中に没入する。この場合、図２において、釣糸３はリール２２の巻回方向Ｎ１と直交する方向Ｎ５にリール２２から導出されるので、バックラッシュは生じない。
【００２４】
魚の当たりがあった時や釣針６のエサをつけ替える等のために釣糸３をリール２２に巻上げるときは、釣者Ｐは図３に示すように握り部１１ａを保持する手の人指し指Ｆ１を伸ばし、釣糸３を指先に引っ掛けてローラ３１に係止する。そこで握り部１１ａを保持する手の指（親指）Ｆ２で操作部１６を回転軸１６ａを中心に手回しする。するとモータ２０は駆動してリール２２は回転するとともにその軸方向に往復動し（矢印Ｎ３）、釣糸３はリール２２に巻上げられる。巻上げ速度は操作部１６の回転角度で任意に制御できる。巻上げが終了したならば、操作部１６を反対方向へ回してモータ２０の駆動を停止させる。以上のように、この釣具１は片手のみで操作可能であるが、勿論、両手を使用してもよいものである。なお釣具１の重心位置は、握り部１１ａの範囲内もしくはこれよりもやや後方にあることがその取り扱い操作（重量バランス）上望ましい。
【００２５】
（実施の形態２）
図４は本発明の実施の形態２における電動リール内蔵型釣竿用グリップ装置の部分切欠側面図である。
【００２６】
本実施の形態２では、ローラ（周回部）３１を装着する延出部（取付部）３０’は、上部１１ａの下面から下方に延出しており、その下端部にローラ３１が装着されている。これ以外の構成や使用方法は実施の形態１と同じである。
【００２７】
（実施の形態３）
図５は本発明の実施の形態３における電動リール内蔵型釣竿用グリップ装置の部分切欠側面図、図６は同電動リールの斜視図、図７は同電動リールの正面図である。
【００２８】
図５において、グリップ装置４０のケース４１は、上部（握り部）４１ａ、下部４１ｂ、連結部４１ｃから成っている。下部４１ｂの前部にはリール４２が設けられている。リール４２の側部にはアーム４３が１８０°の間隔をおいて２個配設されており、アーム４３の先端部にリール４２から繰り出された釣糸３が周回する周回部としてのローラ４４が装着されている（図６、図７も参照）。
【００２９】
図５において、下部４１ｂの内部には、リール４２とアーム４３を駆動するモータ５０が内蔵されている。モータ５０の動力は、ギヤ５１、５２、５３、５４、５５、駆動軸５６、５７、５８等の動力伝達部を介してリール４２及びアーム４３に伝達される。これにより、リール４２はローラ４４に対して相対的にその軸方向に往復動し（矢印Ｎ３）、またアーム４３はリール４２の周囲を回転し（矢印Ｎ６）、ローラ４４は握り部４１ａを保持する手の指Ｆ１が届く位置に回転停止可能となっている。なお下部４１ｂの内部に収納されたモータ５０、動力伝達部５１〜５８等は公知のものである。また、実施の形態１と同一要素には同一符号を付し、説明は省略する。グリップ装置４０は、釣竿２の後端部に着脱自在に装着されて釣具６１が構成される。
【００３０】
次に、図１で示すように、堤防Ｄ上で釣りをする場合を説明する。図５において、釣者Ｐは一方の手（右手）でグリップ装置４０の握り部（上部）４１ａを保持し、人指し指Ｆ１で釣糸３をローラ４４から取りはずす（図５において、実線で示す釣糸３を参照）。そこで図１を参照して説明した実施の形態１の場合と同様に、釣者Ｐは釣竿２を図１の破線で示す立てた位置から実線で示す倒した位置方向へ強く振り下ろす。すると釣糸３はリール４２から導出し（矢印Ｎ５）、おもり５は遠投されて遠くの海面に着水し、海水中に没入する。なおローラ４４は、握り部４１ａとリール４２の間における握り部４１ａを保持する手の指Ｆ１が届く位置に回転停止できる。
【００３１】
魚の当たりがあった時や釣針６のエサをつけ替える等のために釣糸３をリール４２に巻上げるときは、釣者Ｐは握り部４１ａを保持する手の指（人指し指）Ｆ１を伸ばし、釣糸３を指先に引っ掛けてローラ４４に係止する（図５の鎖線で示す釣糸３を参照）。そこで握り部４１ａを保持する手の指（親指）Ｆ２で操作部１６を回転軸１６ａを中心に手回しする。するとモータ５０は駆動してリール４２はその軸方向に往復動（矢印Ｎ３）するとともに、アーム４３はリール４２の周囲を回転し（矢印Ｎ６）、釣糸３はリール４２に巻き上げられる。
【００３２】
なお、片手操作のためには、釣糸３は人指し指Ｆ１でローラ４４に係脱させねばならないので、ローラ４４は握り部４１ａの直下もしくは略直下の握り部４１ａを保持する手の指Ｆ１が届く位置に回転停止させる必要があるが、例えば操作部１６によりリール４２をチョイ巻き回転させてローラ４４を握り部４１ａの直下もしくは略直下で停止させることができる。またアーム４３やローラ４４の位置検知センサを設けて、これらを握り部４１ａの直下で回転を停止するようにしてもよく、その方法は様々考えられる。
【００３３】
また本実施の形態３では、アーム４３はリール４２の側部に互いに１８０°離して２個設けているが、アーム４３は何個設けてもよく、例えば１個にすれば安価になり、またリール４２の周囲に９０°の間隔で４個設ければ、上記チョイ巻き等によりローラ４４を握り部４１ａの直下で停止させる動作をやり易くなる。
【００３４】
以上のように本発明は様々設計変更が可能であって、更には、例えば駆動軸２７、５７に手動ハンドルを連結し、手動ハンドルによってもリール２２、４２を回転させることができるようにしてもよい。なお、電動リールにこのような手動ハンドルを設けることは公知である。またグリップ装置１０、４０の適所に、機能表示等のための表示パネルを設けてもよく、このような表示パネルを設けることも公知である。また例えばケース１１、４１の連結部１１ｃ、４１ｃの背面等にリチウム電池等の電池を着脱自在に装着し、この電池を給電部にしてモータを回転させてもよく、バッテリーと電池を併用あるいは選択使用できるようにしてもよい。
【産業上の利用可能性】
【００３５】
本発明によれば、ケースの内部に動力部や動力伝達部を収納し、ケースの上部に握り部を設けてこの握り部に動力部の操作部を設け、またケースの下部の前部にリールを設けたことにより、電動リールを備えた小型コンパクトなグリップ装置を実現できる。そしてグリップ装置の握り部を片手で保持し、この片手のみによってオモリの遠投やリールの巻上げ操作等を行うことができるので、健常者のみならず、殊に片手が不自由な身障者にとってきわめて有用である。
【符号の説明】
【００３６】
１、６１  釣具
２  釣竿
３  釣糸
１０、４０  グリップ装置
１１、４１  ケース
１１ａ、４１ａ  上部（握り部）
１１ｂ、４１ｂ  下部
１１ｃ、４１ｃ  連結部
１２  コネクタ（給電部）
１６  操作部
２０、５０  モータ（動力部）
２２、４２  リール
２３〜２６、５１〜５５  ギヤ（動力伝達部）
２７〜２９、５６〜５８  駆動軸（動力伝達部）
３０、３０’  延出部（取付部）
３１、４４  ローラ（周回部）
４３  アーム
【図１】
2010136718.tif 000003
【図２】
2010136718.tif 000004
【図３】
2010136718.tif 000005
【図４】
2010136718.tif 000006
【図５】
2010136718.tif 000007
【図６】
2010136718.tif 000008
【図７】
2010136718.tif 000009